(57)【特許請求の範囲】
【請求項１】
浴室壁面に取り付けられたシャワー浴装置本体と、このシャワー浴装置本体に端部を軸支され、上下方向に回転移動自在に構成された一対のアームと、これらアームの長手方向に間隔をおいて配置した複数の流体噴出用の噴霧ノズルと、上記アームに沿って配備され、各噴霧ノズルに流体を供給する流体供給路とを具備し、上記一対のアームは、シャワー浴装置本体の前方に着座した入浴者の両側方に位置するように所定の間隔をおいて位置させるとともに、噴霧した流体が入浴者を包み込むように、各噴霧ノズルの流体噴出方向を一対のアームの間隔空間に向けて設定したシャワー浴装置。
【請求項２】
入浴者が着座する着座手段をシャワー浴装置本体の前方に配置した請求項１記載のシャワー浴装置。
【請求項３】
着座手段は、浴装置本体に収納可能な構成とした請求項２記載のシャワー浴装置。
【請求項４】
着座手段は、支持部を有する構成とした請求項３記載のシャワー浴装置。
【請求項５】
支持部は、着座手段を収納時、連動して収納される請求項４記載のシャワー浴装置。
【請求項６】
複数の噴霧ノズルは、それら噴霧ノズルからの噴流が入浴者にオーバーラップしてかかるように配置した請求項１項記載のシャワー浴装置。
【請求項７】
噴霧ノズルは、内部で旋回流を発生し、流体を噴出する構成とした請求項１または６記載のシャワー浴装置。
【請求項８】
噴霧ノズルは、流入路と、前記流入路から流入した流体を旋回させる旋回部と、前記旋回部の下流側に設けられ、旋回された流体を噴出する噴出孔を有する請求項７記載のシャワー浴装置。
【請求項９】
旋回部は３カ所である請求項８記載のシャワー浴装置。
【請求項１０】
噴霧ノズルは、流体の噴出方向を自在に調節できる構成とした請求項１、６ないし９のいずれか１項記載のシャワー浴装置。
【請求項１１】
噴霧ノズルは、流体の噴流パターンを調節可能とした噴流可変手段を有する請求項１、６ないし１０のいずれか１項記載のシャワー浴装置。
【請求項１２】
アームを位置調節可能とした請求項１記載のシャワー浴装置。
【請求項１３】
アームの中に、流体を通す流路を設けた請求項１記載のシャワー浴装置。
【請求項１４】
アームをシャワー浴装置本体に軸支する支持軸の中に流体を通す流路を設けた請求項１または１３項記載のシャワー浴装置。
【請求項１５】
アームは、任意の固定位置を選択できる構成とした請求項１２記載のシャワー浴装置。
【請求項１６】
アームは、固定時にアーム支持点に設定モーメント力を超える力を受けた場合、可動となる構成とした請求項１５項記載のシャワー浴装置。
【請求項１７】
一対のアームは連動して回転移動する構成とした請求項１記載のシャワー浴装置。
【請求項１８】
一対のアームは個々に回転移動する構成とした請求項１記載のシャワー浴装置。
【請求項１９】
アームは、シャワー浴装置本体から取り外せる構成とした請求項１記載のシャワー浴装置。
【請求項２０】
流体の温度設定手段を設けた請求項１記載のシャワー浴装置。
【請求項２１】
人体の頚部付近に配置し、水を膜状に形成する水膜形成ノズルを設けた請求項１記載のシャワー浴装置。
【請求項２２】
水改質手段を流路に設けた請求項１または２１記載のシャワー浴装置。
【請求項２３】
水改質手段は入浴剤供給手段とした請求項２１記載のシャワー浴装置。
【請求項２４】
水改質手段は洗剤供給手段とした請求項２１記載のシャワー浴装置。
【請求項２５】
水改質手段は海水成分供給手段とした請求項２１記載のシャワー浴装置。
【請求項２６】
水改質手段は湯水に気体を供給する気体供給手段とした請求項２１記載のシャワー浴装置。
【請求項２７】
水改質手段は、炭酸ガス発生手段と、前記炭酸ガス発生手段から発生した炭酸ガスを溶解する炭酸ガス溶解手段とから構成された請求項２１記載のシャワー浴装置。
【請求項２８】
入浴者の足元に水噴霧を集水し貯める着脱可能な貯水漕を備えた請求項１記載のシャワー浴装置。
【請求項２９】
頭部に冷気を送風する送風手段を備えた請求項１記載のシャワー浴装置。
【発明の詳細な説明】
技術分野
本発明は、入浴者に流体を噴出する噴霧ノズル（Spray Nozzle）を有するシャワー浴装置で、特にバスタブ入浴にように身体全体を同時に温めることができ、優れた温熱作用効果が得られるシャワー浴装置に関するものである。
背景技術
シャワー浴は入浴準備の手軽さ、省スペースなどの特徴から簡便な入浴手段として、慣習化してきているが、シャワー入浴では、暖まりにくい、リラックスした気分が味わえないなどの日本の伝統的な風呂文化に根ざすバスタブ入浴慣習とのギャップがある。このギャップを解消するため様々なシャワー浴装置が考案されている。例えば、特開昭６１−９４６１６号公報では、図４３に示すとおり、網の背もたれ部、座部を有する椅子の周りにリング状のシャワーヘッドを往復運動可能に設けることにより、椅子に座っているだけで自動的にシャワーが浴びられるようにするシャワーボックスが考案されている。これはボックスＡ１内に背もたれ部Ａ３、座部Ａ４が網Ａ５からなる椅子Ａ６を設置し、全方位シャワーヘツドＡ７はリング状のパイプ内周側に複数個のシャワーノズルＡ８を設け椅子Ａ６と全方位シャワーヘッドＡ７の前部Ａａとの間に人体を余裕をもつて収容できる空間をあけて、椅子Ａ６を前後左右から覆い、椅子Ａ６の上端Ａｂと下端Ａｃとの間を往復運動可能に設けたものである。椅子に座るだけで、全方位シャワーが身体の回りからシャワーを浴びせながら、背もたれ部と座部の間を往復運動するので、楽にシャワーを浴びることができるというものである。
しかしながら、特開昭６１−９４６１６号公報で示されるこの従来例のシャワー浴装置の場合、リング状のパイプ内周側に複数個のシャワーノズルＡ８を設けた全方位シャワーヘツドＡ７からの温水は、同時には身体の一部分にかかるだけなので、シャワーヘツドＡ７が通過する時、そのシャワーヘッドＡ７からの温水がかかる部分だけしか身体を温めることができないため、身体全体を同時に温めるバスタブ入浴のように暖まることはできないなどの課題を有していた。
また、流体を噴出するノズルに関して、図４４に示すようなものがあった。
図４４において、ノズル本体１には流体の流入する流入口２と、流入した流体を旋回する旋回部３と、流体が十分に旋回されるように設けた旋回室４と、旋回された流体が噴出する噴出孔４が設けてある。流入口２から流入した流体は、図４５に示す旋回部３の２カ所の旋回流入路６に流入し、旋回流入路６の角度の流れとなり、旋回室４に所定の角度で開放されているそれぞれの旋回孔７から旋回室４に至る。２カ所の旋回孔７から流出した流体は、旋回室６において旋回流となり、噴出孔５から噴出される。このとき、流体は旋回流であり、旋回流のない流体の噴流と異なり、角運動量を有しているため、噴出孔５から噴出されると径方向に広がる。従って、ノズルの噴霧角度が大きくなるとともに、その噴流が霧状となるというものであった。
しかしながら、従来の噴霧ノズルでは旋回部３に旋回孔７が２カ所しか設けられていないため、流体の旋回力が十分に得られず、噴霧角度が小さくなったり、噴霧粒子の大きさが粗くなってしまうという課題があった。特に一般家庭など低圧で使用する場合には、さらに流体の旋回力が小さくなるため、従来のノズルでは噴霧粒子が小さく、噴霧角度が大きいノズルの実現は難しいという問題点があった。
また、上記した課題に対してノズルの噴出孔を小さくすることにより、噴霧粒子を小さくし、噴霧角度を大きくしたノズルもあるが、圧力損失が大きいため、十分な流体流量が得られず、農薬散布用等への用途に限定されていた。
また、座姿勢のシャワーに関して、シャワー入浴は床面が濡れているため滑り易く、特に高齢者が入浴する場合の立ち座りまたは移動などは弱った足腰を補うため、手摺りなどを浴室内に設けることが多い。例えば、特開平７−２０７８６９号公報では、図４６に示すとおり、浴室内の壁面に着座した入浴者の立ち座り補助のための手摺りＡ５、浴室出入口側縁部に出入り動作の補助のための室内と室外に水平方向に回動する手摺りＡ４が取り付けられたものが提案されている。
また立位姿勢でのシャワー入浴は同様に足腰が弱った高齢者にとっては、負担が大きいものであり、できれば座姿勢でのシャワー入浴が望ましく、最近このような発明も見られるようになってきた。例えば、特開平８−３８３７７号公報では、図４７に示すとおり、床パネルＢ１０の円形状になった床部Ｂ１１の周縁に沿って、上方に向かって温水等を噴射する複数の上方噴射ノズルＢ１５が設けられている。床パネルＢ１０に対して垂直状態で配置された壁パネルＢ２０にはシャワーユニットＢ３０が取り付けられている。シャワーユニットＢ３０には、ハンディシャワーノズルＢ３６、カランＢ３２、温水等を自然落下式に噴射するオーバーヘッドシャワーノズルＢ３４、水平方向に温水等を噴射する上下方向に配列された複数の水平噴射ノズルＢ３５が設けられている。入浴者はシャワーユニットＢ３０に向かって床パネルＢ１０上に着座し、リラックスした状態でカランＢ３２、ハンデイシャワーノズルＢ３６等を使用しながら、複数の上方噴射ノズルＢ１５からの上方に向かって噴射された温水等を浴びることができる。
また手摺りとシャワーノズルを一体化させたものも提案されている。例えば、特開平６−３３５４１５号公報では、図４８に示すとおり、浴室用鏡本体Ｃ５の表面周囲に手摺りＣ６が取り付けられており、この手摺りＣ６にシャワー用ノズルＣ７を内蔵した径大の手摺りＣ８が取り付けられている。これにより、高齢者が鏡に向かって座った姿勢のままでシャワーを浴びることができると共に、シャワー用ノズルＣ７支持を兼ねた手摺りを利用して楽に立ち上がりできるようになる。
しかし従来例の特開平７−２０７８６９号公報の様な場合は、浴室内の壁面に着座した入浴者の立ち座り補助のための手摺りＡ５は、壁面に固定されているため、着座した入浴者は手摺りＡ５の近傍まで身体を運んでゆき、この手摺りを利用して立ち座りを行うため、入浴者が手摺りに合わせて体位を動かす必要があるという課題を有している。
また足腰が弱った高齢者にとって負担が大きい立位姿勢のシャワーではなく、座姿勢でのシャワー入浴ができる、特開平８−３８３７７号公報では、立ち座り時の補助がなく、シャワー入浴する前後に立ち座りによる負担が発生する。また床面に設けたノズルが浴室内の移動の際にじゃまになるという課題を有している。
また座姿勢のシャワー入浴用ノズルと手摺りを一体にした例の特開平６−３３５４１５号公報では、座姿勢から立ち上がるために手摺りまで手をのばす必要があり、座姿勢のとり方によっては手を延ばす行為が入浴者の肩関節に負担となるし、とてもリラックスして身体全体が同時に温められるシャワー浴などできないシャワー装置であった。
発明の開示
本発明は、浴室壁面に取り付けられたシャワー浴装置本体と、このシャワー浴装置本体に端部を軸支され、上下方向に回転移動自在に構成された一対のアームと、これらアームの長手方向に間隔をおいて配置した複数の流体噴出用の噴霧ノズルと、上記アームに沿って配備され、各噴霧ノズルに流体を供給する流体供給路とを具備し、上記一対のアームは、シャワー浴装置本体の前方に着座した入浴者の両側方に位置するように所定の間隔をおいて位置させるとともに、噴霧した流体が入浴者を包み込むように、各噴霧ノズルの流体噴出方向を一対のアームの間隔空間に向けて設定したものである。
したがって、身体の広い範囲に同時に流体を当てることができ、流体が温水であれば身体の広い範囲を同時に温めることができるものである。また、シャワー不使用時にはアームをシャワー浴装置本体に収納して、浴室の洗い場等への嵩張りが少なく、洗い場等を広く使用できる。
入浴者の着座用に着座手段をシャワー浴装置本体の前方に配置することが望ましく、しかも、浴装置本体に収納可能な構成とすることで、一層浴室洗い場の機能をたかめることができる。加えて、着座手段はに支持部を設けておけば、高齢者対策として有効であろう。勿論、この支持部は、着座手段と連動して収納されるものが好ましい。
むらのないシャワー浴のために、アームに配置した複数の噴霧ノズルは、それらからの噴流が入浴者にオーバーラップしてかかるように配置しておくことが考えられる。
そして、噴霧ノズルは、内部で旋回流を発生し、流体を噴出する構成とし、広くむらなく流体を噴霧するようにしておく。
さらに、この噴霧ノズルの具体的構成としては、流入路と、前記流入路から流入した流体を旋回させる旋回部と、前記旋回部の下流側に設けられ、旋回された流体を噴出する噴出孔を有する構成とする。そして、旋回部は３カ所で形成するのが望ましく、流体の噴出方向を自在に調節できるようにしたり、噴流可変手段で流体の噴流パターンを調節可能とする。
アーム回転移動自在であるので、その位置調節によって入浴者の体格などに的確に対応できる。
噴霧ノズルへの流体流路はアーム内部、およびその支持軸の内部を経て形成すればよい。
アームは、任意の固定位置を選択できる構成が好ましく。その場合、アーム固定時にその支持点に所定値以上のモーメントが加われば固定が外れ、可動となる構成としておく。
一対のアームは、それらが連動して回転移動するように構成してもよいし、個々に回転移動する構成としてもよい。
アームは、シャワー浴装置本体から取り外せる構成とし、浴室の別部位に移設することも考えられる。
温浴とすべく流体の温度設定手段を設けることが望ましい。また、水を膜状に形成する水膜形成ノズルを人体の頚部付近に配置しておけば、霧化けした流体の不用意な飛散が防げるものである。
流路には、入浴剤供給手、洗剤供給手段、海水成分供給手段、炭酸ガス発生手段、或いは流体に気体を供給する気体供給手段などからなる水改質手段を接続することも考えられる。
さらに、入浴者の足元に水噴霧を集水し貯める着脱可能な貯水漕を配置しておくとか、入浴者の頭部に冷気を送風する送風手段を備付けることも有効である。
【図面の簡単な説明】
図１は本発明の第１の実施例における噴霧ノズルの断面図である。
図２は同噴霧ノズルの旋回チップの外観図である。
図３は同噴霧ノズルの旋回チップの部分断面図である。
図４（ａ）は同噴霧ノズルの噴霧分布を示す説明図である。
図４（ｂ）（ｃ）は同実施例における他の噴霧ノズルの噴霧分布を示す説明図である。
図５は同実施例における噴霧ノズルの圧力−流量特性図である。
図６は本発明の第２の実施例の噴霧ノズルの断面図である。
図７は同噴霧ノズルの旋回チップの外観図である。
図８は本発明の第３の実施例の噴霧ノズルの断面図である。
図９は同噴霧ノズルの孔距離−噴霧角度特性図である。
図１０は同噴霧ノズルの動作説明図である。
図１１は本発明の第４の実施例のシャワー装置の外観図である。
図１２は同シャワー装置の給水給湯系路ブロック図である。
図１３は同シャワー装置のハイカット弁の構成図である。
図１４は同シャワー装置の噴霧ノズルの断面図である。
図１５は本発明のシャワー浴装置の第５の実施例を示す構成図である。
図１６は同実施例のアーム部分の動作説明図である。
図１７は同実施例のアーム支持部分の部分詳細図である。
図１８は同実施例のアーム可動部分の部分詳細図である。
図１９（ａ）、（ｂ）、（ｃ）、（ｄ）は同実施例のアーム可動部分の動作説明図である。
図２０は本発明のシャワー浴装置におけるノズル部分の部分詳細図である。
図２１は同アームへのノズル取り付け部分の部分詳細図である。
図２２は本発明のシャワー浴装置の第６実施例を示す構成図である。
図２３は本発明のシャワー浴装置の第７実施例を示す構成図である。
図２４は本発明のシャワー浴装置の第８実施例を示す構成図である。
図２５（ａ）、（ｂ）、（ｃ）、（ｄ）は同実施例のアーム可動部分の動作説明図である。
図２６は本発明のシャワー浴装置の第９実施例を示す構成図である。
図２７（ａ）、（ｂ）、（ｃ）、（ｄ）は同実施例のアーム可動部分の動作説明図である。
図２８は本発明のシャワー浴装置の第１０の実施例を示す構成図である。
図２９は本発明のシャワー浴装置の第１１の実施例を示す構成図である。
図３０は同実施例のアーム−シャフト接合部分の部分詳細図である。
図３１は本発明の第１２の実施例のシャワー浴装置の構成図である。
図３２は同実施例の温水系統図である。
図３３は本発明の第１３の実施例のシャワー浴装置を示す構成図である。
図３４は本発明の第１４の実施例のシャワー浴装置を示す構成図である。
図３５は同実施例の温水系統図である。
図３６は本発明の第１５の実施例のシャワー浴装置を示す構成図である。
図３７は同実施例の温水系統図である。
図３８は本発明の第１６実施例のシャワー浴装置を示す構成図である。
図３９は同実施例の温水系統図である。
図４０は本発明の第１７実施例のシャワー浴装置を示す構成図である。
図４１同実施例の温水系統図である。
図４２は本発明の第１８実施例のシャワー浴装置を示す構成図である。
図４３は従来のシャワー装置の構成図である。
図４４は従来の噴霧ノズルの断面図である。
図４５同噴霧ノズルの部分拡大断面図である。
図４６は従来のシャワー装置を示す斜視図である。
図４７は従来のシャワー装置の他の側を示す斜視図である。
図４８は従来のシャワー装置のさらに他の例を示す斜視図である。
発明を実施するための最良の形態
（１）実施例１
以下、本発明の第１の実施例を図１を参照しながら説明する。
図１は本発明の第１の実施例の噴霧ノズルの断面図である。
図１において、ノズル本体８には、流体が流入する流入口９と流入路１０が設けられている。また、１１は流入路１０から流入した流体を旋回する旋回チップであり、図２に示すように同一円周上に３カ所の旋回部である旋回孔１２と旋回孔の略中心に中心孔１３が設けられている。３カ所の旋回孔１２は、それぞれの旋回孔１２から出る旋回流が均等となるように、開口面積が等しく、また、円周を３等分するように設けられている。そして、旋回孔１２は、開口面積を大きくするとともに、旋回力を高めるために、３カ所の旋回孔１２が設けられている円周を中心軸として、細長い形状となっている。図３は旋回孔１２の部分断面図であり、３カ所の旋回孔１２は流入した流体を旋回するように所定の角度がつけられている。また、中心孔１３は、旋回孔１２からの旋回流の中心流れを形成する。凸部１４は、旋回チップ１１に設けられており、流体が旋回孔１２に流入する場合の圧力損失を低減し、流れの乱れを抑制している。
１５は、旋回チップ１１下流側に設けられ、旋回孔１２で旋回されたそれぞれの旋回流が混同する旋回室であり、旋回流を安定している。また、旋回室１５は旋回チップ１１と旋回された流体を噴出する噴出孔１６が設けられたノズルキャップ１７から構成されている。噴出孔１６には、流体の流入する側に６０°の面取り部１８が設けられ、旋回流がスムーズに噴出孔１５に流入するように構成されている。ここで噴出孔１６は、旋回チップ１１の中心孔１３とほぼ同一軸上に形成され、中心孔１３からの中心軸流れがそのまま噴出されるように構成されている。
なお、旋回チップ１１は樹脂成型品である。従って、旋回孔１２の流入側開口部１２ａと流出側開口部１２ｂは、３０°で結ばれ、図２および図３に示すように重るように構成されており、容易に樹脂成型が行えるようになっている。以上の構成において本実施例の動作について説明する。
流入孔９から流入した流体は、流入路１０を経て旋回チップ１１に至る。旋回チップ１１において、開口面積比で流体は３カ所の旋回孔１２と中心孔１３の各流路に分けられる。ここで凸部１４には、旋回孔１２に入る流体の乱れを極力抑制するように所定の角度が設けられており、旋回部１２で形成される旋回流の乱れが発生しないようになっている。旋回孔１２に入った流体は、旋回力を有する旋回流となり旋回室に至る。旋回室１５では、旋回孔１２からの旋回流が、中心孔１３から噴出孔１６に形成されている軸流れを中心に旋回、混合され、安定した旋回流となる。
そして、軸流れをもつ旋回流は噴出孔１６から噴出される。
このときの噴霧ノズルからの噴流（噴霧）の分布を図４（ａ）に示す。図４（ａ）の分布は、噴霧ノズルを垂直方向下向きに、また、噴霧ノズル先端から２５０mmの位置に複数のセルをセットした後、最も流体水位の高いセルの水位が所定の高さとなるまで、流体を噴霧したものである（以後、この方法によって測定した噴流の分布を噴霧分布とする）。また、旋回孔の数を２カ所と４カ所とした時の噴霧分布を図４（ｂ）、（ｃ）に示す。この噴霧分布の数値化すると表１のようになる。
0003753157.tif 000002
なお、噴霧角度とは、図４（ａ）に示すように、噴霧分布における両端のセルと噴出孔１６を直線で結んだときの角度である。噴霧角度は、旋回孔１２が３カ所のものが最も大きい。流体の旋回力が大きければ、噴霧角度が大きくなることから、旋回孔１２の数が３カ所のものが旋回力が大きく、旋回室１５内での旋回流が最も安定していることがわかる。従って、図５に示すように、噴霧ノズルの圧力損失は旋回孔１２の数が３カ所のものが最も小さい。
また、旋回孔１２が３カ所である場合、旋回室１５内の旋回流が安定し、中心軸流れの乱れが小さいため、噴霧分布はより均等となっている。
本発明の第１の実施例によれば、３カ所の旋回孔１２を設けた構成であり、旋回室１５において旋回流が安定するとともに、流体の旋回力が低下しないため、噴霧角度が大きくなるともに、噴霧ノズルの圧力損失を小さくできるという効果がある。
また、３カ所の旋回孔１２の中心に中心孔を設けた構成としており、旋回室１５内において旋回流に中心軸流れが形成され、噴出孔１６での旋回流の旋回成分と直進成分の均衡がとれるので、広範囲に渡って均一な噴霧分布を実現できるという効果がある。
さらに、旋回孔１２の流入側開口部１２ａと流出側開口部１２ｂが、重るように構成されているので、容易に樹脂成型が行え、噴霧ノズルの低コストが可能である。
なお、本実施例では、旋回孔１２の流入側開口部１２ａと流出側開口部１２ｂを３０°の角度で結ばれているが、この角度は旋回力を考慮すれば１５°〜６０°であることが望ましい。
また、面取り部１８は噴霧角度が最も大きくなる６０°としているが、３０°〜７０°の範囲であれば旋回流に乱れが発生しにくく、十分な噴霧角度を得ることができる。
（２）実施例２
次に、本発明の第２の実施例を図６、７を参照しながら説明する。
図６は第２の実施例の噴霧ノズルの断面図であり、図７は旋回チップ１１の外観図である。第２の実施例において、第１の実施例と異なるのは、旋回チップ１１の３カ所の旋回孔１２の中心に中心孔１３を設けない構成としている点である。
上記構成において、第１の実施例と異なる作用のみ説明する。流入した流体は、旋回チップ１１至ると、３カ所の旋回孔１２に均等に分流する。流体は中心軸流れが形成されないが、前流量が同一流量であれば、旋回流流量の増加量分ほど発生旋回力が増加する。従って、噴出孔１６を通過する噴流の旋回力が大きくなり、低流量・低圧力でさらに噴霧角度を大きくできるという効果がある。
なお、噴出孔１６の面取り部１８を設けず、噴出孔１６の流入側にバリ等がないように構成すれば、噴出孔１６流入時に旋回流の軸流れが形成され、噴霧の中心の増加し、噴霧分布を均等にすることが可能となる。また、第一の実施例のように中心孔１３側が設けられた構成においても、同様の作用により中心の噴霧量を増加することができる。
（３）実施例３
次に、本発明の第３の実施例を図８を参照しながら、第１の実施例と異なる点のみを説明する。図８は第３の実施例の噴霧ノズルの断面図である。
図８において、ノズル本体１９には、流体が流入する流入口９と流入路１０が設けられているとともに、流入路１０の流出側には、同一円周上に３カ所の旋回部である旋回孔２０と旋回孔の略中心に中心口２１が設けられている。また、ノズル本体１９は、流体を噴出する噴出孔１６が設けられたノズルキャップ１７と噴霧可変手段であるねじ部２２で螺合されており、ノズルキャップ１７を回転することによって旋回孔２０と噴出孔１６の距離を調節可能としている。ノズル本体１９とノズルキャップ１７の嵌合部には、シール部材２３が設けてあり、ねじ部２２からの流体の漏れを防止している。
２４は、旋回孔２０下流側に設けられ、旋回孔２０で旋回されたそれぞれの旋回流が混同する旋回室であり、旋回流を安定している。また、旋回室１５の旋回孔２０側は、旋回孔２０が設けられている円周径よりも大きく、噴出孔１６側は旋回孔２０が設けられている円周径よりも小さく構成してある。そして、旋回流抑制部２５は、ノズルキャップ１７が回転され、旋回孔２０と噴出孔１６との距離が最小となったときに、ノズル本体１９の旋回孔２０流出側の面に当接し、旋回孔２０を閉止する構成となっている。
上記した構成において、本実施例の作用を第１の実施例と異なる点のみ説明する。
３カ所の旋回孔２０から旋回室２４に流入した流体は、旋回室２４内で旋回流となり、噴出孔１６から噴出される。このとき、噴出孔１６に達する旋回流の旋回力は、旋回孔２０と噴出孔１６と距離に影響を受ける。すなわち、噴出孔１６噴出する噴霧角度は、ねじ部２２によって調節される旋回孔２０と噴出孔１６と距離に応じて変化することになる。噴霧角度と旋回孔２０と噴出孔１６との距離との関係を図９に示す。図９において、噴霧角度は旋回力が最も大きくなる距離で最大となり、その距離よりからの調節量が大きいほど、噴霧角度が小さくなっている。最大噴霧角度示す距離から、旋回孔２０と噴出孔１６との距離が増加すると、旋回力は徐々に減衰し、噴霧角度が小さくなる。また、最大噴霧角度示す距離から、旋回孔２０と噴出孔１６との距離が減少すると、旋回流が十分に形成されないため、同様に噴霧角度が小さくなる。さらに、旋回孔２０と噴出孔１６との距離が減少させると、図１０に示すように旋回流抑制部２５が旋回孔２０流出側の面に当折し、旋回孔を閉止する。従って、流体は旋回室２４内に中心孔２１からのみ流入するため、旋回流が発生せず、その噴流はほぼ直噴状態となる。
また、旋回力が増加すると、噴霧角度が大きくなるとともに、流体の噴霧粒子も小さくなり、旋回力が減少すると、噴霧角度が小さくなるとともに、流体の噴霧粒子が大きくなる。
すなわち、ねじ部２２により旋回孔２０と噴出孔１６の距離を調節可能とするとともに、旋回流抑制部２５設け旋回孔２０を閉止可能としているので、局所的な直流の噴流、噴霧角度が小さく噴霧粒子が大きい部分的な噴流、噴霧角度が大きく噴霧粒子の小さい噴流まで、使用状況に応じた自由な選択が可能となるという効果がある。
（４）実施例４
次に、本発明の第４の実施例について、図１１、図１２を用いて説明する。図１１はシャワー浴装置２６の外観図であり、図１２はシャワー浴装置２６のブロック図である。
シャワー浴装置２６は、浴室壁面２７に取り付けられており、浴室内でシャワー浴装置本体２８に収納可能な着座手段である椅子２９に着座し、シャワーを浴びれるようになっている。なお着座手段である椅子２９は、着座部２９Aを持ち上げると支持部である支持板２９Bも連動して折り畳まれて、シャワー浴装置本体２８の窪み部２８Aに収まるようにできている。このように支持板２９Bが連動するので、着座手段２９を収納したり取り出したりする動作が簡単である。
そして、収納可能な着座手段２９なので、シャワー浴装置２６および着座手段２９を使わない時には、着座手段２９を収納することによって、浴室の洗い場２７Aに設置しても場所をとらずに、洗い場２７Aを広く使える。
また、支持部である支持板２９Bが支持部２９Bが着座手段２９にかかる使用者の体重等を洗い場２７Aの床でしっかり支えることができ、衝撃的に座ったり長年の使用等に対しても丈夫で、着座手段２９が折れて尻餅をつくようなことがなく、安全性である。
３０は湯が供給される給湯管であり、３１は水が供給される給水管である。給湯管３０と給水管３１は、混合弁３２に連通しており、混合弁３２は温度設定手段３３により設定された温度に湯と水を混合する。温度設定手段３３は、使用者が誤って高温の湯を浴びないように、設定温度が５０℃以上にならないように高温設定制限手段であるストッパー（図示せず）が設けてある。
切替弁３４は混合弁３２で混合された混合湯をハンドシャワー３５と、ミストシャワー３６側に切り替えるとともに、混合湯の閉止を行うものであり、前述の操作は、流量設定手段３７により行われる。
切替弁３４のミストシャワー３６側下流には、混合弁３２の誤動作あるいは誤操作による高温の混合湯の供給が行われたときに、高温の混合湯をミストシャワー３６側に供給しないようにしたハイカット弁３８が設けてある。ハイカット弁３８は図１３に示すように、感温体である形状記憶ばね３９とバイアスばね４０により弁体４１を付勢し、切替弁３４と連通する流入口４２から混合湯が流入するようになっている。通常、形状記憶ばね３９の付勢力は、バイアスばね４０よりも小さく、弁体４１が左側に付勢された状態で流出口４３からミストシャワー３６へ混合湯が供給される。高温の混合湯が供給されると、形状記憶ばね３９の付勢力が増加し、バイアスばね４０の付勢力よりも大きくなるため、弁体４１が右側に付勢され、高温排出口４４から高温水が排水される。
ミストシャワー３６は、略左右対称に５組１０個取り付けられている噴霧ノズルで構成され、第１の実施例で述べた噴霧ノズル８を用いている。５組の噴霧ノズルのうち、本体上部に取り付けられた１組の噴霧ノズル４５は肩部に、本体中央に設けられた噴霧ノズル４６は背中から腰部に噴霧を行う。また、シャワー浴装置本体２８に摺動自在に取り付けられているノズル支持手段であるアーム４７には、人体の首から下に噴霧を行う噴霧ノズル４８が３組設けられている。そして、噴霧ノズル４５、４６、４８から噴霧される霧状の混合湯が首から下の体全体を包み込むようになっている。また、噴霧ノズル４５、４６、４８は、図１４に示すように、人体の体格に応じてノズル噴霧方向を調節できるようにノズル方向自在調節機構を有している。
上記した構成において、本実施例の作用を説明する。
ハンドシャワーを使用する場合、まず切替弁３４の操作部である流量設定手段３７をハンドシャワー側に回転し、切替弁３４を開成する。切替弁３４が開成されると給湯管３０と給水管３１から湯水が供給され、供給された湯水は温度設定手段３３によって設定された温度となるように混合弁３２により混合される。混合湯は開成された切替弁３４経て、ハンドシャワー３５に至る。
着座して浴びるミストシャワー３６を使用する場合、シャワー装置本体２８に収納されている椅子２９およびアーム４７を図１１で示すようにセットする。流量設定手段３７により切替弁３４をミストシャワー３６側に開成する。混合弁３２により混合された混合湯は、切替弁３４を経てハイカット弁３８に至る。このとき、混合弁３２の供給温度に応じてハイカット弁３８は駆動する。すなわち、混合弁３２が故障したり、オーバーシュートが発生した場合など、混合湯が５０℃以上となると形状記憶ばね３９の付勢力が増加し、弁体４１を右方向に移動するため、高温の混合湯が流出口４３から高温排出口４４に切り替わり、ミストシャワー３６から高温の混合湯が噴霧されないようになっている。
噴霧ノズル４５、４６、４８は、実施例１で記載した噴霧ノズルであり、流入した混合湯を霧状の噴霧とし、均等に、かつ、広範囲に噴霧する。１０個のノズルから噴霧される混合湯は、着座している使用者の体全体を包み込み、体表面に混合湯の層を形成するので、あたかも入浴したような暖まり感を得ることができる。噴霧ノズル４５、４６、４８は噴霧方向を調節可能となっているとともに、ノズル支持手段であるアーム４７も可動自在となっており、使用者の体格に応じて噴霧を体全体に浴びることができるようになっている。
ミストシャワー３６を浴びる際に、噴霧が体全体を包み込み、入浴した際のような暖まり感を得るには、噴霧ノズル４５、４６、４８の噴霧角度は少なくとも３０°以上、好ましくは４０°以上でなければ、噴霧ノズルがさらに必要となる。また、暖まり感を得るために必要な最低混合湯流量が５〜６l／minである。
噴霧ノズル４５、４６、４８の混合湯圧力と噴霧角度と関係を図１５に示すが、４０°以上の噴霧角度を得るのに０．３kg／cm2以上の混合湯圧力でよい。また、噴霧ノズル４５、４６、４８はノズル内での混合湯の旋回力が大きいため、上記した圧力で混合湯の噴霧粒子を小さくでき、好適な使用感を得ることができる。
また噴霧ノズル４５、４６、４８は、流入路１０から流入した流体を旋回させる旋回部１２と、前記旋回部１２の下流側に設けられ、旋回された流体を噴出する噴出孔１６を有するもので、旋回部１２は、流入した流体を旋回し、流体に旋回力を持たせるとともに、旋回部１２から噴出孔１６に至り、噴出孔１６での流体の旋回力により噴霧粒子を小さく、噴霧角度をさらに大きくすることができる。
また噴霧ノズル４５、４６、４８は、旋回部１２を３カ所の旋回孔１６として構成したもので、３カ所の旋回部１２は、流入した流体を旋回し、流体に旋回力を持たせるとともに、旋回部１２から噴出孔１６に至る間で各旋回部１２からの流れをお互いに干渉せずに安定して旋回し、旋回部１２の構成が簡素化され、流体の圧力損失および旋回部１２によって発生する旋回力の損失を最小限に抑制するため、より安定した噴霧を低コストで実現できる。
すなわち、噴霧ノズル４５、４６、４８は、内部で旋回流を発生し、流体を噴出する構成であり、噴霧ノズル４５、４６、４８に流入した流体を旋回し、流体に旋回力を持たせ、噴霧粒子を小さく、大きい噴霧角度で噴流を身体の広い範囲に同時に浴びせられる。
また、シャワー装置２６は、噴霧ノズル４５、４６、４８の必要混合湯圧力が低いため、一般家庭の給水および給湯元圧で体全体を小さい霧状の噴霧で包み込むことができ、加圧ポンプなどの給水または給湯加圧装置を必要としない。
本発明の第４の実施例によれば、着座して浴びるシャワー装置２６に、低圧で噴霧角度が広範囲であり、噴霧粒子が小さく、均等に噴霧可能な複数の噴霧ノズル４５、４６、４８を設けた構成としているので、噴霧が体全体を包み込み、入浴した際のような暖まり感を得るために必要なシャワー装置２６への給水圧および給湯圧を低減でき、一般家庭においても加圧装置等を使用する必要がない。
また、低圧の混合湯で暖まり感を得ることができる、すなわち、流量感を得ることができるので、使用する混合湯量が低減でき、経済的であるという効果もある。
また、椅子２９に着座した姿勢で、ミストシャワー３６の噴霧ノズル４５、４６、４８から体全体を包み込み、あたかも入浴したような暖まり感を得ることができるので、入浴した際のように水圧が体にかかることがなく、たとえば心拍数の変化や血圧の変化などが少なく、体への負担を軽減できるという効果もある。特に、体への負担の低減していることから、近年増加している高齢者や障害者の入浴時の事故を防止することができる。
なお、本実施例ではシャワー装置２６に第１の実施例で述べた噴霧ノズル４５、４６、４８を使用しているが、第２の実施例中に記載した噴霧ノズルを用いても、同様の効果を得ることができる。
また、第１の実施例で述べた噴霧ノズル４５、４６、４８のかわりに、第３の実施例で記載した噴霧角度を調節可能な噴霧ノズルを使用すれば、体格の差に応じて噴霧の範囲を調節でき、より好適にミストシャワー２６を使用できる。
また、本実施例では複数のノズルを同一のノズルで構成しているが、肩、背中、腰に噴霧を行う噴霧ノズル４５、４６を第３の実施例で記載した噴霧ノズルとし、局所的に直噴を当てることを可能とすれば、必要に応じて腰痛や肩こり等へのマッサージ効果も得ることができる。
また、本実施例において、十分な給水および給湯圧が可能であれば、旋回部である旋回孔１２が３カ所ではなく、２カ所または４カ所としても、同様の効果を得ることができる。
また、噴霧ノズル４８を設けたノズル支持手段であるアーム４７によって噴霧ノズル４８は、噴流が身体を包み込むように配置できるので、使用者は座った状態で、噴霧の広がり角度が大きい噴霧ノズル４８からの噴流が身体を包み込むようにして、身体全体に同時に浴びることができ、身体の広い範囲を同時に温めることができる。
また、複数の噴霧ノズル４８からの噴流がオーバーラップして身体にかかるように配置されており、噴流のかからない間隔をなくすることができ、より温めるのに効果的である。
また、噴霧ノズル４５，４６，４８は、流体の噴出方向を自在に調節できる構成としたもので、使用者の体格や好みに応じて噴流の方向を自在に調節でき、好適な状態でシャワーを浴びられる。
また、噴霧ノズル４５，４６，４８は、流体の噴流パターンを調節可能とした噴流可変手段２２を有するもので、使用者が噴霧ノズルの噴流可変手段を調節し、身体に当たる噴流の状態を調節可能としているため、使用者の好みに応じたシャワー入浴を実現できる。
また、噴霧ノズル４８を支持するノズル支持手段をアーム４７として構成することにより、噴霧ノズル４８からの噴流が身体に満遍無く当たるようにできる。
また、アーム４７は、シャワー浴装置本体２８に支持され位置調節可能に構成したもので、シャワー使用時にはアーム４７を使用者の体格および好みに合わせ、適切な位置に調節して浴びることができる。
また、噴霧ノズル４８を取り付けたアーム４７の中に流体を通す流路を設けた構成により、噴霧ノズル４８に流体を供給するホース等による流路をアーム４７の外側に形成する必要がないため、外観的に美観を損なうことなく、すっきり美しく機能的なシャワー浴装置２６を実現できる。
また、アーム４７をシャワー浴装置本体２８に支持する支持軸２８Aの中に、流体を通す流路を設ける構成により、噴霧ノズル４８に流体を供給するホース等による流路を支持軸２８Aの外側に形成する必要がないため、アーム４７を支持軸２８Aを中心に回転する際の障害がない。
また、アーム４７を支持軸２８A中心に回転して、シャワー浴装置本体２８および壁面２７に近ずくように収納可能な構成としたもので、シャワー不使用時にはアーム４７をシャワー浴装置本体２８に収納して、浴室の洗い場２７Aへの嵩張りが少なく、洗い場２７Aを広く使用できる。
また、アーム４７を角度調節可能に構成したもので、シャワー使用時にアーム４７を使用者の体格および好みに合わせ、適切な角度位置に調節して浴びることができる。
また、アーム４７を任意の固定位置に選択できる構成としたもので、シャワー使用時にアーム４７を使用者の体格および好みに合わせ、任意の固定位置を選択し、その選択位置に固定してシャワーを浴びることができる。
また、アーム４７は、固定時にアーム４７に設定モーメント力を超える力を受けた場合、可動となる構成としたもので、アーム４７に設定を超える力がかかった場合、可動となることでシャワー浴装置本体２８への強度負担を軽減できる。
また、アーム４７は、略左右対称に設けたもので、噴霧ノズル４８を取り付けたアーム４７が略左右対称であるため、シャワー使用時に使用者の身体の肩や腕、胸、腰、足等に左右均等に噴流を当てることができる。
また、アーム４７は、左右のアーム４７が連動する構成としたもので、使用者がアーム４７の位置を自分の体格に合わせて調節する場合や、アーム４７を収納する時など、左右のアーム４７のうち一方だけ動かせば両方同時に動くので、片手で操作することができる。
また、アーム４７は、左右のアーム４７にかかるモーメント力に所定以上の差を生じたとき、左右のアーム４７を個々に調節可能に構成したもので、噴霧ノズル４８を取り付けたアーム４７が左右個々に調節可能であるため、例えば一方の腕か手をけが等でシャワーの噴流を当てたくない場合、片方のアーム４７を収納位置または少しずらした位置にして、シャワーの噴流を片腕にはかけないで浴びることができる。
また、アーム４７は、全部または一部を樹脂で構成したもので、アーム４７が樹脂なので金属と比較して身体が触れた時でも冷たく不快な感触や、熱く不快な感触がなく、しかも軽量でアーム４７を支持する強度も軽減できるし、アーム４７を動かす場合も軽く動かすことができる。
また、ハンドシャワー３５と、噴霧ノズル４５，４６，４８とを切り替える切替弁３４とを設けたもので、噴流が身体を包み込み温まり感を得られる噴霧ノズル４５，４６，４８と、手に持って好きな箇所を洗い流すハンドシャワー３５とを、切替弁３４で切り替えて使用することができる。
また、切替弁３４を操作する操作部３７を、噴霧ノズル４５，４６，４８とハンドシャワー３５とを左右に回転して切り替える回転つまみ形状の構成としたもので、シャワー浴装置本体２８に設けられた切替弁３４の操作部であるつまみ３７を左右にひねることによって、噴霧ノズル４５，４６，４８とハンドシャワー３５を切り替えて使用することができる。
また、噴霧ノズル４５，４６，４８とハンドシャワー３５との切り替え、および、噴霧ノズル４５，４６，４８とハンドシャワー３５とを同時に開成可能な切替弁３４を設けることにより、噴流が身体を包み込み温まり感を得られる噴霧ノズル４５，４６，４８と、手に持って好きな箇所を洗い流すハンドシャワー３５とを、切替弁３４で切り替えて別々あるいは同時に使用することができる。
また、切替弁３４は、流量調節および閉止が可能である構成としたもので、切替弁３４によってシャワーの種類を切り替えるだけでなく、シャワー流量の調節および閉止が可能である。
また、シャワー浴装置２６は、流体の温度設定手段３３を設けたもので、座ったままで全身に対し広範囲に包み込むシャワーの噴流温度を任意に設定できる。
また、切替弁３４の上流に温度設定手段３３によって設定された温度となるように高温流体の湯と低温流体の水を混合する混合弁３２を設けたもので、座ったままで全身に対し広範囲に包み込むシャワーの噴流温度を任意に調節できるので、使用者の好みの温度でシャワー入浴ができる。
また、切替弁３４を操作する操作部３７と混合弁３２の温度設定手段３３を、シャワー浴装置本体２８に並べて設けたもので、使用者は座った状態で、噴霧ノズル４５，４６，４８とハンドシャワー３５の切り替えおよび温度設定などの操作が素早くできる。
また、切替弁３４を操作する操作部３７は、入浴者が着座手段２９に着座した際、右手側位置に設けたもので、使用者は座った状態で、噴霧ノズル４５，４６，４８とハンドシャワー３５の切り替えなどを利き腕ですることができ、操作し易い。
また、切替弁３４を操作する操作部３７は、温度設定手段３３より高い位置に設けたので、使用者が例えば座った状態で、操作部３７を特に見なくても手探りでも判別できるので、非可視状態でも噴霧ノズル４５，４６，４８とハンドシャワー３５の切り替えをすることができる。
また、ハンドシャワー３５は、着座手段２９の着座部２９Ａとほぼ同じ高さに設けたので、使用者が座った状態で、手探りでもハンドシャワー３５を掴むことができる。また、ハンドシャワー３５からの湯を洗面器に受けたりもし易い。
また、ハンドシャワー３５は、切替弁３４の操作部３７よりも低い高さに設けたので、手探りでもハンドシャワー３５を掴むことができるほか、ハンドシャワー３５からの湯を出している状態で切替弁３４の操作部３７を操作する際、手にハンドシャワー３５の噴流を受けずに操作できる。
シャワー浴装置２６は、高温の流体の噴出を防止する高温設定制限手段を設けたもので、使用者がまちがって温度設定手段３３で噴流温度を高温に設定しようとした場合でも、高温設定制限手段によって危険な高温には設定されず安全に使用できる。つまり、通常の浴室に配置されている混合栓は、高温側につまみを回せば、水側は閉塞し高温湯側が全開して熱湯が出るが、実施例の場合、高温設定制限手段によって５０℃以下に制限され、５０℃を越える温度には設定されないようになっていて安全である。
また、シャワー浴装置２６は、高温の流体の噴出を防止するハイカット弁３８を設けたもので、ハイカット弁３８に高温の流体が供給されると、ハイカット弁３８が噴霧ノズル４５，４６，４８への高温の流体の供給を防止するので、噴霧ノズル４５，４６，４８から高温の流体が入浴者に噴出されることがない。
また、シャワー浴装置２６は、高温の流体の噴出を防止するハイカット弁３８を切替弁３４と噴霧ノズル４５，４６，４８との間に設けたもので、例えば混合弁３２等の誤動作あるいは誤操作により高温の流体がハイカット弁３８に供給されても、ハイカット弁３８が噴霧ノズル４５，４６，４８への高温の流体の供給を防止するので、噴霧ノズル４５，４６，４８から高温の流体が入浴者の噴出されることがない。
また、ハイカット弁３８は、流体が流入する流入口４２と、流体が流出する流出口４３と、高温の流体を排出する高温排出口４４と、前記流出口４３と前記高温排出口４４の切り替えを行う弁体４１と、高温の流体が供給されると流出口４３を閉じる方向に前記弁体４１を付勢する感温体３９と、前記弁体４１を前記感温体３９が付勢する方向と反対方向に付勢するバイアスばね４０とを有する構成としたもので、流入口４２から供給される流体の温度が高温であれば、感温体３９が弁体４１を付勢し、流出口４３側が閉止されるとともに、高温排出口４４側が開成され流出口４３への高温の流体の供給を防止することができる。
また、ハイカット弁３８は、感温体３９が形状記憶ばねで構成したもので、ワックスペレット等の感温体に較べて、形状記憶ばねの感温体３９は応答速度が速くかつハイカット弁３８の構成が簡単にできる。
（５）実施例５
本発明の第５の実施例について、図１５、図１６、図１７、図１８、図１９（ａ）、（ｂ）、（ｃ）、（ｄ）、図２０、および図２１を参照しながら説明する。図１５は実施例５の構成図、図１６は第５の実施例のノズル支持手段であるアーム４７の動作説明図、図１７は第５の実施例のアーム４７の支持軸２８A付近の部分詳細図、図１８は第５の実施例のアーム４７の可動部分の部分詳細図、図１９（ａ）、（ｂ）、（ｃ）、（ｄ）はアーム４７の可動部分の動作説明図、図２０は噴霧ノズル８付近の部分詳細図、図２１は第５の実施例のアーム４７への噴霧ノズル取り付け部分の部分詳細図である。
図１５において、２８はシャワー浴装置本体、２９はシャワー浴装置本体２８により支持された入浴者が着座する着座手段、８は着座した入浴者に温水を噴出する噴霧ノズル、４７は前記噴霧ノズル８を有しシャワー浴装置本体２８により一端を回動自在に支持されたアーム４７である。着座手段２９はシャワー浴装置本体２８に固定または可動自在に支持されている。噴霧ノズル８はシャワー浴装置本体２８またはアーム４７に一つまたは複数取り付けられている。アーム４７８はシャワー浴装置本体２８に可動自在に取り付けられている。
図１７において、５０はシャワー浴装置本体２８にアーム４７同士を連結する支持軸２８Aを支持するためのシャフト支持金物、５１は支持軸２８Aの回転移動を固定または解除するためのシャフト固定板、５２はシャフト固定板５１と組み合わされ支持軸２８Aの回転移動を固定または解除するためのシャフト固定板支持金物である。シャフト支持金物５０とシャフト固定板支持金物５２はシャワー浴装置本体２８に取り付けられている。シャフト固定板５１は支持軸２８Ａに固定されている。
図１８において２８Aは支持軸、５１はシャフト固定板、５２はシャフト固定板支持金物、５３は固定位置指定ピン、５４は回転角度変更ピン、５５は回転子、５６は回転子取付ピンである。シャフト固定板５１は支持軸２８Ａに固定されている。固定位置指定ピン５３、回転角度変更ピン５４はシャフト固定板５１に固定されている。回転子５５は回転子取付ピン５６によりシャフト固定板支持金物５２に回転可能に支持されている。
図２０において８はノズル、５７はシールのためのＯリング、５８はノズル押え板、５９はノズル固定板である。ノズル押え板５８およびノズル固定板５９はシャワー浴装置本体２８またはアーム４７の構成部材の一部を挟み込む形で支持されている。Ｏリング５７はノズル押え板５８とノズル固定板５９によりノズル８のシールができるよう取り付けられている。ノズル８はノズル押え板５８によりノズル固定板５９に圧着されている。点線はノズル８のノズル噴出方向の選択範囲を示す。
図２１において４７は樹脂製のアーム、４８は噴霧ノズル、５７はシールのためのＯリング、５８はノズル押え板、５９はノズル固定板、６０は流路、６１は連結パイプである。ノズル押え板５８およびノズル固定板５９はアーム４７の樹脂製表面材を挟み込む形で支持されている。Ｏリング５７はノズル押え板５８とノズル固定板５９によりノズル４８のシールができるよう取り付けられている。ノズル８はノズル押え板５８によりノズル固定板５９に圧着されている。
次に動作、作用について説明する。まず入浴者が、アーム４７を入浴位置である図１６における点線の位置から、アーム４７が邪魔にならないよう実線に位置まで移動させ、着座手段２９に着座する。移動の際は図１９（ａ）から（ｄ）に示すように、アーム４７を図１８における点線の位置から少し持ち上げると、回転子５５が固定位置指定ピン５３から離れ、回転子角度変更ピン５４により角度を変更され、シャフト固定板５１と支持軸２８Ａとアーム４７が大きく回転可能となる。したがってこのままアーム４７のシャワー浴装置本体２８に支持された支点の反対側である先端部をシャワー浴装置本体２８に近づける。着座した後でアーム４７のシャワー浴装置本体２８に支持された支点の反対側である先端部をシャワー浴装置本体２８から遠ざけるように移動させ、図１６における実線の位置から、点線の位置までアーム４７を移動させる。入浴者の操作により、噴霧ノズル８から温水が入浴者に噴出される。入浴を終了すれば、アーム４７が邪魔にならによう入浴者が入浴位置である図２における点線の位置から、実線の位置までアームを移動させ、着座手段２９から立ち上がる。また噴霧ノズル８への流路６０は温水によって温度上昇するが、樹脂製のアーム４７に収納させ、入浴者の身体に直接触れていない。またノズル８の図２０の点線で示したノズル位置まで入浴者がノズル押え板５８により圧着されたノズル８の球状部分を中心に回転でき、これにより入浴者は温水噴出手段の噴出方向を自在に選択する。
以上のように本実施例によればシャワー浴装置本体２８と、入浴者が着座する着座手段である椅子２９と、着座した入浴者に温水を噴出する噴霧ノズル８と、前記シャワー浴装置本体２８に支持されたアーム４７を備え、前記アーム４７は移動可能としているので、入浴行為に合わせてアーム４７を移動できる。
またアーム４７の先端部をシャワー浴装置本体２８に近づけることができるようにしているので、入浴者が立った後の移動の際、または足腰が弱った高齢者ではなく、健常者がこの浴室を利用する際、アーム４７は壁面からの突出を少なくすることができる。
また着座した入浴者に温水を噴出する噴霧ノズル８の少なくとも一つはシャワー装置本体２８に支持されたアーム４７に取り付けているので、入浴者の側面、前面からの温水噴出によるシャワー入浴が楽しめる。
またアーム４７は全部または一部を樹脂製とし、前記アーム４７の内部に噴霧ノズル８への流路を収納しているので、温水により高温になる流路が、入浴者の身体に直接触れないようにできる。
また噴霧ノズル８は噴出方向を自在に選択できる構造としているので、入浴者の体格に合わせた噴出方向で全身同時に温まることができる。
（６）実施例６
本発明の第６の実施例について、図２２を参照しながら説明する。図２２は第６の実施例の構成図である。
第５の実施例と異なる点は、アーム４７自体に少なくとも一つの回転軸４ａを有するところである。
なお第５の実施例と同一符号のものは同一構造を有し、説明は省略する。
次に動作、作用について説明する。入浴者が、アーム４７を入浴位置である図２２における点線の位置から、実線の位置までアーム４７の先端部をシャワー浴装置本体２８に移動させて近づける。着座した後でアーム４７の先端部をシャワー浴装置本体２８から遠ざけるように移動させ、図２２における実線の位置から、点線の位置までアームを移動させる。入浴者の操作により、噴霧ノズル８から温水が入浴者に噴出される。入浴を終了すれば、入浴者が入浴位置である図２２における点線の位置から、実線の位置までアームを移動させ、着座手段２９から立ち上がる。
以上のように本実施例によればシャワー浴装置本体２８と、入浴者が着座する着座手段である椅子２９と、着座した入浴者に温水を噴出する噴霧ノズル８と、前記シャワー浴装置本体２８に支持されたアーム４７を備え、前記アーム４７はその途中に少なくとも一つの回転軸４aを有し、アーム４７は移動可能としているので、入浴行為に合わせてアーム４７を移動できる。
またアーム４７はその途中に少なくとも一つの回転軸４ａを有し、アーム４７の先端部をシャワー浴装置本体２８に近づけることができるようにしているので、入浴者が立った後の移動の際、または足腰が弱った高齢者ではなく、健常者がこの浴室を利用する際、アーム４７は壁面からの突出を少なくすることができる。
（７）実施例７
本発明の第７の実施例について、図２３を参照しながら説明する。図２３は第７の実施例の構成図である。
第５の実施例と異なる点は、アーム４７自体に少なくとも一つの摺動部を設けて伸縮自在としたところである。
なお第５の実施例と同一符号のものは同一構造を有し、説明は省略する。
次に動作、作用について説明する。入浴者が、アーム４７を入浴位置である図２３における点線の位置から、実線の位置までアーム４７の先端部をシャワー浴装置本体２８に移動させて近づける。着座した後でアーム４７の先端部をシャワー浴装置本体２８から遠ざけるように移動させ、図２３における実線の位置から、点線の位置までアーム４７を移動させる。入浴者の操作により、噴霧ノズル８から温水が入浴者に噴出される。入浴を終了し、入浴者が入浴位置である図２３における点線の位置から、実線の位置までアーム４７を移動させ、着座手段２９から立ち上がる。
以上のように本実施例によれば、シャワー浴装置本体２８と、入浴者が着座する着座手段である椅子２９と、着座した入浴者に温水を噴出する噴霧ノズル８と、前記シャワー浴装置本体２６に支持されたアーム４７を備え、前記アーム４７はその途中に少なくとも一つの摺動部をを設けて伸縮自在とし、アーム４７は移動可能としているので、入浴行為に合わせてアーム４７を移動できる。
またアーム４７はその途中に少なくとも一つの摺動部を設けて伸縮自在とし、アーム４７の先端部をシャワー浴装置本体２８に近づけることができるようにしているので、入浴者が立った後の移動の際、または足腰が弱った高齢者ではなく、健常者がこの浴室を利用する際、アーム４７は壁面からの突出を少なくすることができる。
（８）実施例８
本発明の第８の実施例について、図１６、図２４および図２５（ａ）、（ｂ）、（ｃ）、（ｄ）を参照しながら説明する。図２４は実施例８の構成図、図２５（ａ）、（ｂ）、（ｃ）、（ｄ）はアーム可動部分の動作説明図である。
第５の実施例と異なる点は、シャワー浴装置本体２８により支持されたアーム４７の支持点は、図２４に示す構造により、上方に動く際は固定位置を選択でき、下方に動く際は固定位置を選択せずに動かせる構造としたところである。図２４において、６２は固定ピン、６３は固定ピン６２を固定位置指定ピン５３に圧着させるバネ部である。固定位置指定ピン５３はシャフト固定板５１に固定されている。固定ピン６２は、バネ部６３により支持されている。バネ部６３はシャフト固定板支持金物５２により支持されている。
なお第５の実施例と同一符号のものは同一構造を有し、説明は省略する。
次に動作、作用について実施例のアーム構造に用いた場合を例として説明する。入浴者が、アーム４７を入浴位置である図１６における点線の位置から、実線の位置までアーム４７の先端部をシャワー浴装置本体２８に移動させて近づける。移動の際は図２５（ａ）から（ｄ）に示すように、アーム４７を図１６における点線の位置から少し上げると、固定位置指定ピン５３の最下端位置にはまっている固定ピン６２が、固定位置指定ピン５３の裏側にまわり、シャフト固定板５１と支持軸２８Ａとアーム４７が大きく回転可能となり、アーム４７のシャワー浴装置本体２８に支持された支点の反対側である先端部をシャワー浴装置本体２８に近づける。着座した後でアーム４７の先端部をシャワー浴装置本体２８から遠ざけるように移動させると、固定位置指定ピン５３の最上端位置にはまっている固定ピン６２が、最上端位置から一つ下の位置にはまる。以下順次同様の動作を繰り返し、固定位置を選択しながら、アーム４７のシャワー浴装置本体２８に支持された支点の反対側である先端部をシャワー浴装置本体２８から遠ざけるように移動させ、入浴者の好みの位置でアーム４７の移動を止め入浴する。
以上のように本実施例によれば、シャワー装置本体２８に支持されたアーム４７の支持点は固定できる構造とし、上方に動く際は固定位置を選択でき、下方に動く際は固定位置を選択せずに動かせる構造としているので、アーム４７を立ち座りの際の補助手摺りとして利用する際に、入浴者が楽につかんで立ち座りでき、かつ固定位置を選択できることにより、手摺りとしてのアーム４７の高さを調節できる。
（９）実施例９
本発明の第９の実施例について、図１６、図２６および図２７（ａ）、（ｂ）、（ｃ）、（ｄ）を参照しながら説明する。図２６は実施例９の構成図、図２７（ａ）、（ｂ）、（ｃ）、（ｄ）はアーム可動部分の動作説明図である。
第５の実施例と異なる点は、シャワー浴装置本体２８により支持されたアーム４７の支持点は、図２６に示すように固定位置指定ピン５３の各ピン部５３ａの傾斜角度を固定ピン６２が矢印ａ、ｂのいずれの方向へも移動でき、かつその位置で保持される構造としたところである。
なお第５の実施例と同一符号のものは同一構造を有し、説明は省略する。
次に動作、作用について第５の実施例のアーム構造に用いた場合を例として説明する。入浴者が、アーム４７を入浴位置である図１６における点線の位置から、実線の位置までアーム４７の先端部をシャワー浴装置本体２８に移動させて近づける。移動の際は図２７（ａ）から（ｄ）に示すように、アーム４７を図１６における点線の位置から少し下げると、固定位置指定ピン５３の最下端位置にはまっている固定ピン６２が、最下端位置から一つ上の位置にはまる。以下順次同様の動作を繰り返し、アーム４７の先端部をシャワー浴装置本体２８に近づける。着座した後でアーム４７の先端部をシャワー浴装置本体２８から遠ざけるように移動させると、固定位置指定ピン５３の最上端位置にはまっている固定ピン６２が、最上端位置から一つ下の位置にはまる。以下順次同様の動作を繰り返し、固定位置を選択しながら、アーム４７の先端部をシャワー浴装置本体２８から遠ざけるように移動させ、入浴者の好みの位置でアーム４７の移動を止め入浴する。
以上のように本実施例によれば、シャワー浴装置本体２８に支持されたアーム４７の支持点は固定できる構造とし、上方または下方に動く際は固定位置を選択できる構造としているので、アーム４７を立ち座りの際の補助手摺りとして利用し、入浴者が楽につかんで立ち座りでき、かつ固定位置をアーム移動方向に関わらず、自由に選択できる。
（１０）実施例１０
本発明の第１０の実施例について、図２８を参照しながら説明する。図２８は第１０の実施例の構成図である。
第５の実施例と異なる点は、シャワー浴装置本体２８により支持され、支持点を支店として回転可能なアーム４７は固定でき、かつ固定時に前記可動部に設定モーメント力を越える力を与えた場合、可動となる構造としたところである。
図２８において、６４はシャフト固定板支持金物５２を支持するバネ部で、シャワー浴装置本体２８に固定されている。
なお第５の実施例と同一符号のものは同一構造を有し、説明は省略する。
次に動作、作用について説明する。アーム４７を支持する支持軸２８Aに固定されているシャフト固定板５１、シャフト固定板５１に固定されている固定位置指定ピン５３および回転角度変更ピン５４、シャフト固定板支持金物５２に支持されている回転子５５の作用で支持軸２８Aは通常は回転しない。支持軸２８Aに設定モーメントを超える力を与えた場合、シャフト固定板支持金物５２を支持するバネ部６４が伸び縮みを行い、バネ部６４が固定されているシャワー浴装置本体２８に設定モーメント力の反力を超える力を伝えない。
以上のように本実施例によれば、シャワー装置本体２８に支持されたアーム４７の支持点は固定できる構造とし、固定時にアーム４７の可動部に設定モーメント力を超える力を受けた場合、可動となる構造としているので、アーム４７に設定を超える力がかかった場合、シャワー装置本体２８への強度負担を軽減できる。
（１１）実施例１１
本発明の第１１の実施例について、図２９、図３０を参照しながら説明する。図２９は第１１の実施例の構成図、図３０はアームーシャフト接合部分の部分詳細図である。
第５の実施例と異なる点は、アーム４７をシャワー浴装置本体２８から取り外せる構造とし、取り外したアーム４７を浴槽内などの別の場所に取り付けることができる構造としたところである。
図３０において、６５はアーム４７と支持軸２８Ａを接合するアーム接合ピンで、支持軸２８Ａに固定されている。６６はアーム４７が支持軸２８Ａから引き抜けるのを防止する引き抜き防止ピンで、この引き抜き防止ピン６６はアーム４７に取り付けられている。
図２９において、６７はアーム支持装置で、浴槽部分の壁面に取り付けられている。アーム支持装置６７は前記支持軸２８Aと同様の引き抜き防止ピン６６が取り付けられており、その取付部分の構成はアーム４７と同様の構造を有している。なお、このピン６５と６６を用いた結合構成は他の構成で代用することも可能である。
なお第５の実施例と同一符号のものは同一構造を有し、説明は省略する。
次に動作、作用について説明する。図２９に示すようにアーム４７を支持軸２８Ａから引き抜き、清掃等を行う。また浴槽内でアーム４７による温水噴出を利用する場合、引き抜いたアーム４７を浴槽上の浴室壁面に固定されているアーム支持装置６７の取付部分（図示せず）に取り付けて利用する。支持軸２８Ａからアーム４７を引き抜く場合、図３０のとおり支持軸２８Ａのくぼみにバネ力で押しつけられている引き抜き防止ピン６６がくぼみから外れて、アーム４７が支持軸２８Ａから引き抜くことができる。
以上のように本実施例によれば、アーム４７はシャワー装置本体２８から取り外せる構造としているので、アーム４７をシャワー装置本体２８から取り外すことにより、アーム４７の清掃等のメンテナンスが容易にできる。
またシャワー装置本体２８から取り外したアーム４７を浴室適所に取り付けることができる構造としているので、他の場所での立ち座りの際の補助手摺りとして利用することができる。
（１２）実施例１２
本発明の第１２の実施例について、図３１および図３２を参照しながら説明する。図３１は本発明の第１２の実施例の構成図、図３２は本発明の第１２の実施例の温水系統図である。
図３１において、８は噴霧ノズル、７０は水膜形成ノズル、４７はノズル支持手段であるアーム、２９は着座手段である椅子、７１は温水バルブである。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。図３２において、８は噴霧ノズル、７０は水膜形成ノズル、７１は温水バルブ、７２は給湯機、７３は温水分岐部である。温水系統は給湯機７２までは一本で、温水分岐部７３から先が２本に分かれて、それぞれ噴霧ノズル８、水膜形成ノズル７０に接続されている。
次に、上記のように構成された第１２の実施例の動作を説明する。入浴者がシャワー浴が目的で椅子２９に座る。温水バルブ７１を操作し、給湯機７２からの温水を温水分岐部７３に通水する。温水分岐部７３は噴霧ノズル８および水膜形成ノズル７０に配水をする。噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。
本発明の第１２の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。さらに人体の頚部付近から温水が膜状に形成され、この膜によって温水噴霧を遮ることによって、タブ入浴において水面から出ている状態と同様に、頭部がシャワーの霧適を浴びていない状態に保たれる。また温水膜が人体頚部にあたることにより、タブ入浴において水面を感じている状態と同様に、シャワー浴領域と浴びていない頭部との境界を感じさせることができる。これらによってシャワー入浴においてタブ入浴と同等レベルの温熱感、リラックス感を保ちながら、シャワーに浸かった体と浸かっていない頭部の違いを体感させることができる。
（１３）実施例１３
以下、本発明の第１３の実施例実施例について、図３３を参照しながら説明する。図３３は本発明の第１３の実施例実施例の構成図である。
図３３において、８は噴霧ノズル、７０は水膜形成ノズル、４７はノズル支持手段であるアーム、２９は着座手段である椅子、７１は温水バルブ、７４は送風手段であるシロッコファン、７５は給気ダクト、７６は送風手段の操作部である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。給気ダクト７５はシャワー室外につながっており、送風手段７４は給気ダクト７５の先に入浴者の顏に向くように取り付けられている。操作部７６は送風手段７４に接続されている。
次に、上記のように構成された第１３の実施例の動作を説明する。入浴者がシャワー浴が目的で椅子２９に座る。温水バルブ７１を操作し、噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。入浴者が適時、操作部７６を操作すると、送風手段７４が動作し、給気ダクト７５を介して室外の冷えた空気を入浴者の顏に吹き付ける。
本発明の第１３の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。さらに人体の頚部付近から温水が膜状に形成され、この膜によって温水噴霧を遮ることによって、タブ入浴において水面から出ている状態と同様に、頭部がシャワーの霧適を浴びていない状態に保たれる。さらにシャワー浴に浸かっていない状態に保たれている人体頭部に送風手段７４が冷気を送風することによって、遮断できなかった温水噴霧を吹き飛ばすことができ、かつ冷気が顏にあたり、湯気で蒸せる入浴者のほてりを抑えることができる。このように人体頭部に送風することによって、湯気で蒸せる入浴者のほてりを抑え、シャワーの湯気に弱い人でも快適に入れる。
（１４）実施例１４
以下、本発明の第１４の実施例について、図３４および図３５を参照しながら説明する。図３４は本発明の第１４の実施例の構成図、図３５は本発明の第１４の実施例の温水系統図である。
図３４において、８は噴霧ノズル、７０は水膜形成ノズル、４７はノズル支持手段であるアーム、２９は着座手段である椅子、７１は温水バルブ、７７は温水改質手段としての入浴剤溶解手段７８の操作部である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。図３５において、８は噴霧ノズル、７０は水膜形成ノズル、７１は温水バルブ、７２は給湯機、７３は温水分岐部、７８は水改質手段としての入浴剤溶解手段である。温水系統は給湯機７２から温水分岐部７３までは一本で、温水分岐部７３から先が２本に分かれて、それぞれ噴霧ノズル８、水膜形成ノズル７０に接続されている。入浴剤溶解手段７８は温水分岐部７３から水膜形成ノズル７０の温水系統の途中に接続されている。
次に、上記のように構成された第１４の実施例の動作を説明する。入浴者がシャワー浴が目的で椅子２９に座る。温水バルブ７１を操作し、給湯機７２からの温水を温水分岐部７３に通水する。温水分岐部７３は噴霧ノズル８および水膜形成ノズル７０に配水をする。噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。入浴者が適時、入浴剤溶解手段操作部７７を操作すると、入浴剤溶解手段７８から温水分岐部７３から水膜形成ノズル７０の温水系統の中に芳香入浴剤が溶解され、水膜形成ノズル７０から芳香入浴剤入りの温水が膜状に形成される。
本発明の第１４の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。さらに人体の頚部付近から芳香入浴剤入りの温水が膜状に形成されることにより、シャワー全体に溶解させなくてもと入浴者の頭部付近だけの温水膜溶解の入浴剤使用で済む、かつ自在に芳香の停止可能なハーブ浴を実現できる。このように適時改質した温水をノズル７０等から噴出することにより、シャワーに必要な温水全体を改質しなくても必要最低限の温水改質で済み、かつ自在に温水改質の停止可能なシャワー浴を実現できる。
（１５）実施例１５
以下、本発明の第１５の実施例について、図３６および図３７を参照しながら説明する。図３６は本発明の第１５の実施例の構成図、図３７は本発明の第１５の実施例の温水系統図である。
図３６において、８は噴霧ノズル、７０は水膜形成ノズル、４７はノズル支持手段であるアーム、２９は着座手段である椅子、７１は温水バルブ、７７は入浴剤溶解手段操作部である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。図３７において、８は噴霧ノズル、７０は水膜形成ノズル、７１は温水バルブ、７２は給湯機、７３は温水分岐部、７８は入浴剤溶解手段である。温水系統は給湯機７２から温水分岐部７３までは一本で、温水分岐部７３から先が２本に分かれて、それぞれ噴霧ノズル８、水膜形成ノズル７０に接続されている。入浴剤溶解手段７８は温水分岐部７３から噴霧ノズル８の温水系統の途中に接続されている。
次に、上記のように構成された第１５の実施例の動作を説明する。入浴者がシャワー浴が目的で椅子２９に座る。温水バルブ７１を操作し、給湯機７２からの温水を温水分岐部７２に通水する。温水分岐部７３は噴霧ノズル８および水膜形成ノズル７０に配水をする。噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。入浴者が適時、入浴剤溶解手段操作部３２を操作すると、入浴剤溶解手段７８から温水分岐部７３から噴霧ノズル８の温水系統の中に入浴剤が溶解され、噴霧ノズル８から入浴剤入りの温水が噴出される。
本発明の第１５の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。この温水噴霧には適時、入浴剤を溶解できる。さらに人体の頚部付近から温水が膜状に形成され、この膜によって入浴剤入りの温水噴霧を遮ることによって、タブ入浴において水面から出ている状態と同様に、頭部が入浴剤入りのシャワーの霧適を浴びていない状態に保たれる。このように入浴者の頭部付近に入浴剤を適時溶解させた水膜を形成することにより、シャワー全体に溶解させなくても必要最低限の入浴剤使用で済み、かつ自在に芳香の停止可能なハーブ浴を実現できる。
また、水膜で入浴剤入り温水噴霧を遮ることによって、入浴剤入りの霧滴を吸い込む事なく、入浴剤の芳香に弱い人でも快適に入浴剤使用のシャワー浴ができる。
（１６）実施例１６
以下、本発明の第１６の実施例について、図３８および図３９を参照しながら説明する。図３８は本発明の第１６の実施例の構成図、図３９は本発明の第１６の実施例の温水系統図である。
図３８において、８は噴霧ノズル、７０は水膜形成ノズル、４７はノズル支持手段であるアーム、２９は着座手段である椅子、７１は温水バルブ、７９は海水成分溶解手段操作部である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。図３９において、８は噴霧ノズル、７０は水膜形成ノズル、７１は温水バルブ、７２は給湯機、７３は温水分岐部、７９は海水成分溶解手段である。温水系統は給湯機７２から温水分岐部７３までは一本で、温水分岐部７３から先が２本に分かれて、それぞれ噴霧ノズル８、水膜形成ノズル７０に接続されている。海水成分溶解手段８０は温水分岐部７３から噴霧ノズル８の温水系統の途中に接続されている。
次に、上記のように構成された第１６の実施例の動作を説明する。入浴者がシャワー浴が目的で椅子２９に座る。温水バルブ７１を操作し、給湯機７２からの温水を温水分岐部７３に通水する。温水分岐部７３は噴霧ノズル８および水膜形成ノズル７０に配水をする。噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。入浴者が適時、海水成分溶解手段の操作部７９を操作すると、海水成分溶解手段８０から温水分岐部７３から噴霧ノズル８の温水系統の中に海水成分が溶解され、噴霧ノズル８から海水成分入りの温水が噴出される。
本発明の第１６の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。この温水噴霧には適時、海水成分を溶解できる。さらに人体の頚部付近から温水が膜状に形成され、この膜によって海水成分入りの温水噴霧を遮すことによって、タブ入浴において水面から出ている状態と同様に、頭部が海水成分入りのシャワーの霧適を浴びていない状態に保たれ、顏など塩分に弱い皮膚を守りながら海水療法入浴ができる。このように水膜によって海水成分が適時入った温水噴霧を遮ることによって、顏など塩分に弱い皮膚を守りながら海水療法入浴ができる、かつ自在に海水成分なしに切り換えられるシャワー浴ができる。
（１７）実施例１７
以下、本発明の第１７の実施例について、図４０および図４１を参照しながら説明する。図４０は本発明の第１７の実施例の構成図、図４１は本発明の第１７の実施例の温水系統図である。
図４０において、８は噴霧ノズル、７０は水膜形成ノズル、４７はノズル支持手段であるアーム、２９は着座手段である椅子、７１は温水バルブ、８１は炭酸ガス溶解手段操作部である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。図４１において、８は噴霧ノズル、７０は水膜形成ノズル、７１は温水バルブ、７２は給湯機、７３は温水分岐部、８２は炭酸ガス溶解手段、８３は炭酸ガス発生手段である。温水系統は給湯機７２から温水分岐部７３までは一本で、温水分岐部７３から先が２本に分かれて、それぞれ噴霧ノズル８、水膜形成ノズル７０に接続されている。炭酸ガス溶解手段８２は温水分岐部７３から噴霧ノズル８の温水系統の途中に接続され、炭酸ガス発生手段８３は炭酸ガス溶解手段８２に接続されている。
次に、上記のように構成された第１７の実施例の動作を説明する。入浴者がシャワー浴が目的で椅子２９に座る。温水バルブ７１を操作し、給湯機７２からの温水を温水分岐部７３に通水する。温水分岐部７３は噴霧ノズル８および水膜形成ノズル７０に配水をする。噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。この温水膜は噴霧ノズル８からの噴霧を遮るだけの水量を確保する。入浴者が適時、炭酸ガス溶解手段操作部８１を操作すると、炭酸ガス発生手段８３から炭酸ガスが発生し、炭酸ガス溶解手段８２から温水分岐部７３から噴霧ノズル８の温水系統の中に炭酸ガスが溶解され、噴霧ノズル８から炭酸ガス入りの温水が噴出される。
本発明の第１７の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。この温水噴霧には適時、炭酸ガスを溶解できる。さらに人体の頚部付近から温水が膜状に形成され、この膜によって炭酸ガス入りの温水噴霧を遮ることによって、炭酸ガス混入霧滴を吸い込む事なく炭酸泉入浴ができる。このように水膜によって炭酸ガスが適時入った温水噴霧を遮ることによって、炭酸ガス混入霧滴を吸い込む事なく炭酸泉入浴ができる、かつ自在に炭酸ガス混入なしに切り換えられるシャワー浴を実現できる。
（１８）実施例１８
以下、本発明の第１８の実施例について、図４２を参照しながら説明する。図４２は本発明の第１８の実施例の構成図である。
図４２において、８は噴霧ノズル、７０は水膜形成ノズル、４７はノズル支持手段であるアーム、２９は着座手段である椅子、７１は温水バルブ、８４は貯水漕である。噴霧ノズル８は入浴者の人体を包み込むように複数配置する。水膜形成ノズル７０は人体の頚部付近に配置する。噴霧ノズル８および水膜形成ノズル７０はそれぞれアーム４７に固定されている。貯水漕８４は入浴者の足元に着脱可能に配置する。
次に、上記のように構成された第１８実施例の動作を説明する。入浴者がシャワー浴が目的で椅子２９に座る。温水バルブ７１を操作し、噴霧ノズル８からは温水が霧滴状に入浴者の人体を包み込むように噴出される。同時に水膜形成ノズル７０からは入浴者の頚部付近を中心に入浴者の体を覆うように温水が膜状に形成される。温水膜は噴霧ノズル８からの噴霧を遮るだけの水量を確保する。貯水槽８４には噴霧ノズル８および水膜形成ノズル７０からの温水が集水され、入浴者がこれに足を漬ける。入浴者は適時、貯水槽８４を脱着すると噴霧ノズル８および水膜形成ノズル７０からの温水は集水されることなく、排水される。
本発明の第１８の実施例によれば、入浴者が椅子２９に座ってリラックスした状態でシャワー浴をする際、入浴者の人体を包み込むように温水噴霧が噴出され、タブ入浴と同等レベルの温熱感、リラックス感を保ちながらシャワー浴ができる。さらに人体の頚部付近から温水が膜状に形成され、この膜によって温水噴霧を遮ることによって、タブ入浴において水面から出ている状態と同様に、頭部がシャワーの霧適を浴びていない状態に保たれる。さらに貯水漕によって温水を集水することによって、使用した湯を無駄にすることがなく足温浴ができる。このように水膜によって温水噴霧を遮りながら、貯水漕が温水を集水することによって、シャワーの温気に弱い人でも快適に入れるシャワー浴を行いながら、使用した湯を無駄にすることがなく足温浴ができる。
以上のように、上記実施例のシャワー浴装置２６は、人体の頚部付近に配置し、水を膜状に形成する水膜形成ノズル７０を設けたもので、入浴者が椅子２９等に座ってリラックスした状態でシャワー浴をする際、人体の周囲に配置された複数の噴霧ノズル８が、入浴者を包み込むように温水を霧状に噴出し、人体の頚部付近に配置された水膜形成ノズル７０が温水を膜状に形成し、この膜によって前記温水噴霧を遮ることによって、人体頚部にシャワー領域と頭部との境界を感じさせることができ、これによってシャワー入浴においてタブ入浴と同等レベルの温熱感、リラックス感を保ちながら、シャワーに浸かった体と浸かっていない頭部の違いを体感させることができる。
また、水改質手段を流路に設けたもので、流路に備えた水改質手段が水を改質し、前記水改質手段が改質した温水を前記流路に接続された噴霧ノズル８から噴出することにより、バスタブ全体の湯量と比較して使用湯量が少なく、小さい改質能力で済み、効率的な水改質シャワー浴を実現できる。
また、水改質手段は、入浴剤供給手段としたもので、水改質手段である入浴剤供給手段７８が入浴剤を温水に溶解させ、流路に接続された噴霧ノズル８から入浴剤が溶解した温水を噴出することにより、バスタブ入浴と比較して使用湯量が少なく、少ない入浴剤で済み、入浴剤効果のあるシャワー浴を実現できる。
また、水改質手段は、洗剤供給手段としたもので、水改質手段である洗剤供給手段が洗剤を温水に溶解させ、流路に接続された噴霧ノズル８から洗剤が溶解した温水が噴霧され、身体表面の皮膚を浄化殺菌できる。
また、水改質手段は、海水成分供給手段としたもので、水改質手段である海水成分供給手段８０が水に海水成分を溶解させ、流路に接続された噴霧ノズル８から海水成分入りの温水が身体表面の皮膚に噴霧され、海水療法シャワー浴ができる。
また、水改質手段は、温水に気体を供給する気体供給手段としたもので、水改質手段である気体供給手段が温水に気体を供給し、流路に接続された噴霧ノズル８から気体入りの温水が身体に噴霧され、マイルド感の高いシャワー浴ができる。
また、水改質手段は、炭酸ガス発生手段８３と、前記炭酸ガス発生手段８３から発生した炭酸ガスを溶解する炭酸ガス溶解手段８２とから構成されたもので、水改質手段である炭酸ガス発生手段８３および炭酸ガス溶解手段８２の内、前記炭酸ガス発生手段８３が炭酸ガスを発生させ、炭酸ガス溶解手段８２が前記炭酸ガスを温水に溶解させ、流路６０に接続された噴霧ノズル８から炭酸ガス入りの温水が身体表面の皮膚に噴霧され、バスタブ入浴と比較して使用湯量が少なく、少ない炭酸ガスで済み、炭酸泉入浴効果のあるシャワー浴を実現できる。
また、シャワー浴装置２６は、人体の足元に水噴霧を集水し貯める着脱可能な貯水漕８４を備えたもので、入浴者が椅子等に座ってリラックスした状態でシャワー浴をする際、人体の周囲に配置された複数の噴霧ノズル８が、入浴者を包み込むように温水を霧状に噴出し、人体の足元に着脱可能に設置された貯水漕８４が前記温水膜および前記温水噴霧を集水することによって、快適な噴霧シャワー浴を行いながら、使用した湯を無駄にすることなく足温浴ができる。
産業上の利用可能性
以上のように本発明のシャワー浴装置は、噴霧ノズルから噴出させた霧化流体で入浴者を包み込むようにして、確実なシャワー浴を実現できるものである。
さらに、入浴者は座った状態で噴霧ノズルからの噴霧を浴びることができ、リラックスした状態で、身体の広い範囲を同時に温めることができる。また、収納可能な着座手段なので、シャワー浴装置および着座手段を使わない時には、着座手段を収納することによって、一般家庭の浴室の洗い場等に設置しても場所をとらずに、洗い場を広く使える。
また、着座手段が支持部を有するものなので、支持部が着座手段にかかる使用者の体重等を床等でしっかり支えることができ、衝撃的に座ったり長年の使用等に対して、着座手段が折れて尻餅をつくようなことを防ぎ、安全性の高いシャワー浴装置を提供できる。
また、着座手段の支持部は、着座手段の収納時、連動して収納されるものなので、着座手段を収納するとき、支持部が連動して収納され、着座手段を収納したり取り出したりする動作が簡単にできる。
また、本発明のシャワー浴装置は、複数の噴霧ノズルの噴流がオーバーラップして身体にかかるように配置したものなので、複数の噴霧ノズルからの噴流が身体にオーバーラップしてかかり、噴流のかからない間隔をなくすることができる。
また、本発明のシャワー浴装置の噴霧ノズルは、内部で旋回流を発生し、流体を噴出する構成としたものなので、噴霧ノズルに流入した流体を旋回し、流体に旋回力を持たせ、噴霧粒子を小さく、大きい噴霧角度で噴流を身体の広い範囲に同時に浴びせられる。
また、本発明のシャワー浴装置の噴霧ノズルは、流入路と、前記流入路から流入した流体を旋回させる旋回部と、前記旋回部の下流側に設けられ、旋回された流体を噴出する噴出孔を有するものなので、旋回部は、流入した流体を旋回し、流体に旋回力を持たせるとともに、旋回部から噴出孔に至り、噴出孔での流体の旋回力により噴霧粒子を小さく、噴霧角度をさらに大きくすることができる。
また、本発明のシャワー浴装置の噴霧ノズルは、旋回部を３カ所の旋回孔として構成したものなので、３カ所の旋回部は、流入した流体を旋回し、流体に旋回力を持たせるとともに、旋回部から噴出孔に至る間で各旋回部からの流れをお互いに干渉せずに安定して旋回し、旋回部の構成が簡素化され、流体の圧力損失および旋回部によって発生する旋回力の損失を最小限に制御するため、より安定した噴霧を低コストで実現できる。
また、本発明のシャワー浴装置の噴霧ノズルは、流体の噴出方向を自在に調節できる構成としたものなので、入浴者の体格や好みに応じて噴流の方向を自在に調節でき、好適な状態でシャワーを浴びれる。
また、本発明のシャワー浴装置の噴霧ノズルは、流体の噴流パターンを調節可能とした噴流可変手段を有するものなので、入浴者が噴霧ノズルの噴流可変手段を調節し、身体に当たる噴流の状態を調節可能としているため、使用者の好みに応じたシャワー入浴を実現できる。
また、本発明のシャワー浴装置のアームはシャワー浴装置本体に収納可能であるため、シャワーを使用しない時にはアームをシャワー装置本体に収納して、浴室の洗い場への嵩張りを少なくし、洗い場を広く使用できる。
また、本発明のシャワー浴装置のアームは、シャワー浴装置本体に支持され位置調節可能に構成したので、シャワー使用時にはアームを使用者の体格および好みに合わせ、適切な位置に調節して浴びることができる。
また、本発明のシャワー浴装置は、アームの中に、流体を通す流路を設ける構成としたので、噴霧ノズルを取り付けたアームの中に流体を通す流路を設ける構成により、噴霧ノズルに流体を供給するホース等による流路をアームの外側に形成する必要がないため、外観的に美観を損なうことなく、すっきり美しく機能的なシャワー浴装置を実現できる。
また、本発明のシャワー浴装置は、アームをシャワー浴装置本体に支持する支持軸を設け、前記支持軸の中に、流体を通す流路を設ける構成としたので、アームをシャワー浴装置本体に支持する支持軸の中に、流体を通す流路を設ける構成により、噴霧ノズルに流体を供給するホース等による流路を支持軸の外側に形成する必要がないため、アームを支持軸を中心に回転する際の障害がない。
また、本発明のシャワー浴装置は、アームを角度調節可能に構成したので、シャワー使用時にアームを使用者の体格および好みに合わせ、適切な角度位置に調節して浴びることができる。
また、本発明のシャワー浴装置は、アームを任意の固定位置に選択できる構成としたので、シャワー使用時にアームを使用者の体格および好みに合わせ、任意の固定位置を選択し、その選択位置に固定してシャワーを浴びることができる。
また、本発明のシャワー浴装置のアームは、固定時にアーム支持点に設定モーメント力を超える力を受けた場合、可動となる構成としたので、アームに設定を超える力がかかった場合、可動となることでシャワー浴装置本体への強度負担を軽減できる。
また、本発明のシャワー浴装置のアームは、左右のアームが連動する構成としたので、左右のアームが連動するため、使用者がアームの位置を自分の体格に合わせて調節する場合や、アームを収納する時など、左右のアームのうち一方だけ動かせば両方同時に動くので、片手でできる。
また、本発明のシャワー浴装置のアームは、左右のアームを個々に調節可能に構成したので、噴霧ノズルを取り付けたアームが左右個々に調節可能であるため、例えば一方の腕が手をけが等でシャワーの噴流を当てたくない場合、一方のアームの位置をずらした位置にすることができる。
また、本発明のシャワー浴装置のアームは、シャワー浴装置本体から取り外せる構成としたので、アームをシャワー浴装置本体から取り外すことにより、アームの清掃等のメンテナンスが容易にできる。
また、本発明のシャワー浴装置は、シャワー浴装置本体から取り外したアームを浴室適所に取り付けることができる構成としたので、アームをシャワー装置本体から取り外し、浴室適所たとえば浴槽の上壁面等に取り付けることにより、浴槽の縁に腰掛けて足を浴槽につけたまま上半身にシャワー浴をしたり、またその場所での立ち座りの際の補助手摺りとして利用することができる。
また、本発明のシャワー浴装置は、流体の温度設定手段を設けたので、座ったままで全身に対し広範囲に包み込むシャワーの噴流温度を任意に設定できる。
また、本発明のシャワー浴装置は、人体の頚部付近に配置し、水を膜状に形成する水膜形成ノズルを設けたので、入浴者が椅子等に座ってリラックスした状態でシャワー浴をする際、人体の周囲に配置された複数の噴霧ノズルが、入浴者を包み込むように温水を霧状に噴出し、人体の頚部付近に配置された水膜形成ノズルが温水を膜状に形成し、この膜によって前記温水噴霧を遮ることによって、人体頚部にシャワー領域と頭部との境界を感じさせることができ、これによってシャワー入浴においてタブ入浴と同等レベルの温熱感、リラックス間を保ちながら、シャワーに浸かった体と浸かっていない頭部の違いを体感させることができる。
また、本発明のシャワー浴装置は、水改質手段を流路に設けたので、流路に備えた水改質手段が水を改質し、前記水改質手段が改質した温水を前記流路に接続された噴霧ノズルから噴出することにより、バスタブ全体の湯量と比較して使用湯量が少なく、小さい改質能力で済み、効率的な水改質シャワー浴を実現できる。
また、本発明のシャワー浴装置の水改質手段は、入浴剤供給手段としたので、水改質手段である入浴剤供給手段が入浴剤を温水に溶解させ、流路に接続された噴霧ノズルから入浴剤が溶解した温水を噴出することにより、バスタブ入浴と比較して使用湯量が少なく、少ない入浴剤で済み、入浴剤効果のあるシャワー浴を実現できる。
また、本発明のシャワー浴装置の水改質手段は、洗剤供給手段としたので、水改質手段である洗剤供給手段が洗剤を温水に溶解させ、流路に接続された噴霧ノズルから洗剤が溶解した温水が噴霧され、身体表面の皮膚を浄化殺菌できる。
また、本発明のシャワー浴装置の水改質手段は、海水成分供給手段としたので、水改質手段である海水成分供給手段が水に海水成分を溶解させ、流路に接続された噴霧ノズルから海水成分入りの温水が身体表面の皮膚に噴霧され、海水療法シャワー浴ができる。
また、本発明のシャワー浴装置の水改質手段は、湯水に気体を供給する気体供給手段としたので、水改質手段である気体供給手段が湯水に気体を供給し、流路に接続された噴霧ノズルから気体入りの温水が身体に噴霧され、マイルド感の高いシャワー浴ができる。
また、本発明のシャワー浴装置の水改質手段は、炭酸ガス発生手段と、前記炭酸ガス発生手段から発生した炭酸ガスを溶解する炭酸ガス溶解手段とから構成されたので、水改質手段である炭酸ガス発生手段および炭酸ガス溶解手段の内、前記炭酸ガス発生手段が炭酸ガスを発生させ、炭酸ガス溶解手段が前記炭酸ガスを温水に溶解させ、流路に接続された噴霧ノズルから炭酸ガス入りの温水が身体表面の皮膚に噴霧され、バスタブ入浴と比較して使用湯量が少なく、少ない炭酸ガスで済み、炭酸泉入浴効果のあるシャワー浴を実現できる。
また、本発明のシャワー浴装置は、人体の足元に水噴霧を集水し貯める着脱可能な貯水漕を備えたので、入浴者が椅子等に座ってリラックスした状態でシャワー浴をする際、人体の周囲に配置された複数の噴霧ノズルが、入浴者を包み込むように温水を霧状に噴出し、人体の足元に着脱可能に設置された貯水漕が前記温水膜および前記温水噴霧を集水することによって、快適な噴霧シャワー浴を行いながら、使用した湯を無駄にすることなく足温浴ができる。
また、本発明のシャワー浴装置は、頭部に冷気を送風する送風手段を備えたので、噴霧ノズルによるシャワー浴をしながら、あるいはした後などに、人体頭部に送風手段が冷気を送風することによって、冷気が頭部や顏にあたり、入浴者のほてりを抑えることができ、さわやかで快適なシャワーライフを実現できる。
【図１】
0003753157.tif 000003
【図２】
0003753157.tif 000004
【図３】
0003753157.tif 000005
【図４】
0003753157.tif 000006
【図５】
0003753157.tif 000007
【図６】
0003753157.tif 000008
【図７】
0003753157.tif 000009
【図８】
0003753157.tif 000010
【図９】
0003753157.tif 000011
【図１０】
0003753157.tif 000012
【図１１】
0003753157.tif 000013
【図１２】
0003753157.tif 000014
【図１３】
0003753157.tif 000015
【図１４】
0003753157.tif 000016
【図１５】
0003753157.tif 000017
【図１６】
0003753157.tif 000018
【図１７】
0003753157.tif 000019
【図１８】
0003753157.tif 000020
【図１９】
0003753157.tif 000021
【図２０】
0003753157.tif 000022
【図２１】
0003753157.tif 000023
【図２２】
0003753157.tif 000024
【図２３】
0003753157.tif 000025
【図２４】
0003753157.tif 000026
【図２５】
0003753157.tif 000027
【図２６】
0003753157.tif 000028
【図２７】
0003753157.tif 000029
【図２８】
0003753157.tif 000030
【図２９】
0003753157.tif 000031
【図３０】
0003753157.tif 000032
【図３１】
0003753157.tif 000033
【図３２】
0003753157.tif 000034
【図３３】
0003753157.tif 000035
【図３４】
0003753157.tif 000036
【図３５】
0003753157.tif 000037
【図３６】
0003753157.tif 000038
【図３７】
0003753157.tif 000039
【図３８】
0003753157.tif 000040
【図３９】
0003753157.tif 000041
【図４０】
0003753157.tif 000042
【図４１】
0003753157.tif 000043
【図４２】
0003753157.tif 000044
【図４３】
0003753157.tif 000045
【図４４】
0003753157.tif 000046
【図４５】
0003753157.tif 000047
【図４６】
0003753157.tif 000048
【図４７】
0003753157.tif 000049
【図４８】
0003753157.tif 000050